(57)【特許請求の範囲】
【請求項１】
着信をアラート音によつて報知する機能を有する通信端末装置において、
一定時間以上の押し下げ操作によつて電源を切る電源キーと、
上記アラート音が鳴つている状態で、上記電源キーを上記一定時間より短い間押し下げる操作がなされたときには、少なくとも着信の期間に亘つて上記アラート音をミユートさせる制御部と
を具え、
上記制御部は、
上記アラート音をミユートさせているとき、上記電源キーを上記一定時間より短い間押し下げる操作が再度なされた場合には、上記アラート音のミユートを解除し、
上記アラート音をミユートさせているとき、上記電源キーを上記一定時間以上押し下げる操作がなされた場合には、上記通信端末装置の電源を切る
ことを特徴とする通信端末装置。
【請求項２】
着信をアラート音によつて報知する機能を有する通信端末装置において、
一定時間以上の押し下げ操作によつて電源を切る電源キーと、
上記アラート音が鳴つている状態で、上記電源キーを上記一定時間より短い間押し下げる操作がなされたときには、少なくとも着信の期間に亘つて上記アラート音を低下させる制御部と
を具え、
上記制御部は、
上記アラート音を低下させているとき、上記電源キーを上記一定時間より短い間押し下げる操作が再度なされた場合には、上記アラート音の低下を解除し、
上記アラート音をミユートさせているとき、上記電源キーを上記一定時間以上押し下げる操作がなされた場合には、上記通信端末装置の電源を切る
ことを特徴とする通信端末装置。
【発明の詳細な説明】
【０００１】
【産業上の利用分野】
本発明は通信端末装置に関し、例えば携帯電話機に用いて好適なものである。
【０００２】
【従来の技術】
通常、電話機への着信はアラート音によつて報知されるようになされている。一般にこのアラート音はユーザが次の操作をするまでの間、鳴り止まないように設計されている。このためどうしてもすぐに応答できない場合にはオフフツクによつて強制的にアラート音を切るか、アラート音を鳴らし続けたまま放置するしかない。
【０００３】
この場合、オフフツク操作によつてアラート音を強制的な切る方法が一般的であると思われるが、このようにすると意図的な回線の切断が相手方に分かつてしまうため相手によつては不快感を与えるおそれがある。しかしながらアラート音が鳴り止むのを待つ方法は周囲の人に迷惑をかけるおそれがある。
【０００４】
【発明が解決しようとする課題】
そこで着信中に電源を故意に切るような操作をすることによつてアラート音の発生を停止させる等の方法が考えられる。しかしこの方法は電源の再投入を忘れ易く、次の着信を聞き逃すおそれもあつた。
また長時間の電源オフは電話網にとつて故障と識別されるおそれもあり余り好ましい方法ではない。
【０００５】
本発明は以上の点を考慮してなされたもので、従来に比してユーザの選択性及び使い勝手に優れた通信端末装置を実現しようとするものである。
【０００６】
【課題を解決するための手段】
かかる課題を解決するため本発明においては、着信をアラート音によつて報知する機能を有する通信端末装置において、一定時間以上の押し下げ動作によつて電源を切る電源キー（３Ａ）と、アラート音が鳴つている状態で、電源キー（３Ａ）を一定時間より短い間押し下げる操作がなされたときには、少なくとも着信の期間に亘つてアラート音をミユートさせる制御部（７）とを設け、当該制御部（７）は、アラート音をミユートさせているとき電源キー（３Ａ）を一定時間より短い間押し下げる操作が再度なされた場合にはアラート音のミユートを解除し、アラート音をミユートさせているとき電源キー（３Ａ）を一定時間以上押し下げる操作がなされた場合には通信端末装置の電源を切るようにした。
【０００７】
【作用】
電源キー（３Ａ）を一定時間以上押し下げる操作がなされたときは、通信端末装置の電源を切るのに対し、アラート音が鳴つている状態で電源キー（３Ａ）を一定時間よりも短い間押し下げる操作がなされたときは、少なくとも着信の期間に亘つてアラート音をミユート又はその音量が低下される。これによりアラート音に対して直ちに応答できない場合にも周囲の人に迷惑をかけるおそれを格段的に低下させることができる。また発呼中に電源が強制的に切れるような事態を避けることができ、発信者に不快を与えるおそれを低減できる。
【０００８】
【実施例】
以下図面について、本発明の一実施例を詳述する。
【０００９】
（１）全体構成
この実施例では電源のオンオフを切換制御する電源キーにアラート音のミユート機能を割り当てることにより使い勝手を向上させた携帯電話機について説明する。まず図１に携帯電話機１の外観構成を示す。
【００１０】
この実施例で用いる本体２のフロントパネル２Ａには操作キー３（電源キー３Ａ、数字キー３Ｂ、センドキー３Ｃ、エンドキー３Ｄ）の他、電話番号表示用のデイスプレイ４が設けられている。このデイスプレイ４にはユーザが入力した電話番号等が表示されるようになされており、ユーザが入力内容を確認したりモードを画面上で選択できるようになされている。また本体２にはこの他にアンテナ５及びスピーカ／マイク部６（図示せず）が取り付けられている。
【００１１】
次に図２に携帯電話機１の内部構成を示す。内部回路はＣＰＵ７を中心に構成されている。このＣＰＵ７が他の内部回路を制御するようになされる。例えば発呼時に電源キー３Ａが押された場合には、ＣＰＵ７は電源スイツチ８を閉じ、電源ソース９から電源が供給される状態に制御するようになされている。これにより相手先電話番号の入力待ち受け状態となる。
【００１２】
例えばこの状態でユーザが数字キー３Ｂによつて相手先電話番号を入力すると、ＣＰＵ７は入力された電話番号をデイスプレイ４上に表示する。そしてセンドキー３Ｃの操作があつた場合、ＣＰＵ７は無線部１０及びアンテナ５を介して相手先に発呼を開始するようになされている。
【００１３】
因に相手先の応答により通話が開始された場合には、アンテナ５によつて受信された受信信号は無線部１０を介して音声処理部１１に取り込まれ、信号処理された後、スピーカから出力される。一方、ユーザの音声はマイクから音声処理部１１に取り込まれ、無線部１０を介してアンテナ５から送信される。
【００１４】
これに対して電話がかかつてきた場合には、ＣＰＵ７がこれを検出し、アラート音オンオフ制御部１２をオン状態に制御してアラート音発生器１３からアラート音を発生する。これによつてユーザは着信を知ることができる。この状態でセンドキー３Ｃが押されると、ＣＰＵ７がこれを検出して通話を開始させると共にアラート音の発生を停止させる。これはユーザが応答する場合の動作であるが、着信時の環境によつては応答できない場合もある。この場合に用意されている機能が一定の操作時に回線を強制的に切ることなくアラート音を消す機能である。
【００１５】
これは電源キー３Ａによて実現される。電源キー３Ａは一定時間以上（例えば１秒以上）押された場合に電源スイツチ８を開いて電源ソース９からの電源供給を遮断するのに通常用いられるのであるが、アラート音が発生している時に電源キー３Ａが一定時間未満（例えば１秒未満）押された場合には、ＣＰＵ７がこれを検出してアラート音オン／オフ制御部１２を制御することによりアラート音の発生を停止させる。
【００１６】
（２）状態遷移
以上の構成において、携帯電話機１に着信があつた場合の操作及び状態遷移の様子を図３を用いて説明する。
まず状態ＳＴ１の電話着信待ちから着信時の動作は開始する。電話の着信が確認されるまで携帯電話機１はこの状態ＳＴ１を維持する。因にこの状態で電源キー３Ａが１秒以上押し下げられると、状態ＳＴ２の電源断の処理に移る。
【００１７】
これに対して状態ＳＴ１において電話の着信が確認されると、アラート音を鳴らして着信をユーザに報知する状態ＳＴ３に移行する。この状態で着信に応じる場合にはセンドキー３Ｃの押下により状態ＳＴ４に移行し、通話が開始される。ここでエンドキー３Ｄが押されれば状態ＳＴ１の着信待ち状態になり、電源キー３Ａが１秒以上押し下げられれば状態ＳＴ２に移行する。
【００１８】
またアラート音が発生されている状態ＳＴ３で電源キー３Ａが１秒以上押し下げられた場合にも同様に状態ＳＴ２に移行する。ただしこのようにアラート音が発生されている状態で電源を強制的に切られた場合には、受け手側が意図的に電話の着信に応じなかつたことが電話をかけてきた相手に分かるので相手先に不快感や誤解を与えるおそれがある。このために新たに設けられた機能に対応するのが状態ＳＴ５である。
【００１９】
すなわち不特定の場所で使用されることが多い携帯電話機１の特性上、アラート音を継続して鳴り続けさせることができない場合には、状態ＳＴ３において電源キー３Ａを１秒より短く押し下げれば良い。このように操作するとＣＰＵ７はアラート音オン／オフ制御部１２をオフ状態に制御し、アラート音の発生のみを停止させる。この状態は回線の切断を伴わないため相手方に不必要な不快感を与えずに済む。またユーザもアラート音をミユートして周囲の人に迷惑をかけずに済む。
【００２０】
因に状態ＳＴ５において電源キー３Ａを１秒より短く押し下げればアラート音を鳴らす状態ＳＴ３に戻ることができ、発呼が継続しているかの確認も容易である。
勿論、アラート音をミユートしている最中に通話を開始したい場合にはセンドキー３Ｃを押せば、状態ＳＴ５から抜け出して状態ＳＴ４に移行でき、通話を開始することもできる。また状態ＳＴ４で電源キー３Ａを１秒以上押し下げれば状態ＳＴ２の処理に移る。以上が着呼時に携帯電話機１が取り得る状態遷移の説明である。
【００２１】
以上の構成によれば、電源キー３Ａを短時間（この例では１秒未満）の間押し下げることにより電話回線の接続を切ることなくアラーム音をミユートできることにより、アラート音が与える周囲の人間への迷惑を低減することができる。
特に不特定多数の場所で使用される携帯電話機１の場合にはその効果が大きい。またアラート音のミユート中に再度電源キー３Ａが短時間押下された場合には元の状態、すなわち状態ＳＴ３に戻れるようにしたことによりユーザによる使い方の選択性を向上することができる。
【００２２】
（３）他の実施例
なお上述の実施例においては、デイスプレイ４の画面上にユーザが入力した電話番号の他、各種モードの選択画面等を表示する場合について述べたが、本発明はこれに限らず、着信時に発信側の電話番号が表示されるサービスが運用されている場合には相手側の電話番号を表示させても良い。この機能と上述のアラート音を消す機能とを組み合わせれば、相手に応じて失礼に当たらない対応を適切に選択でき、ユーザの使い勝手を一段と向上することができる。
【００２３】
また上述の実施例においては、アラート音が鳴つている状態で電源キー３Ａが１秒未満押下されたときアラート音をミユートし、１秒以上押下されたときには電源を切るようにした場合について述べたが、押下する時間はこれに限らない。
【００２４】
さらに上述の実施例においては、アラート音が鳴つているとき電源キー３Ａが押下された場合にはアラート音をミユートする場合について述べたが、本発明はこれに限らず、音量を低下させる場合にも広く適用し得る。
【００２５】
さらに上述の実施例においては、電源キー３Ａに割り当てられたアラート音のミユート機能によりアラート音がミユートされている状態で再度電源キー３Ａが短時間押下されたときアラート音を鳴らし得る状態ＳＴ３に戻れる機能（すなわちトグル機能）を設ける場合について述べたが、本発明はこれに限らず、状態遷移は一方通行であつても良い。
【００２６】
さらに上述の実施例においては、アラート音が鳴つている状態で電源キー３Ａが短時間押下されたときその直後からアラート音をミユートし続ける場合について述べたが、この期間は少なくとも着信期間であればユーザの使い勝手を向上させることができる。
【００２７】
さらに上述の実施例においては、一定時間以上押し下げたときに電源を切る電源キー３Ａにアラート音のミユート機能を割り当てる場合について述べたが、本発明はこれに限らず、専用キーを用意しても良く、また他のキーにこれらの機能を割り当てても良い。
【００２８】
さらに上述の実施例においては、各種情報を表示する機能を具えたデイスプレイ４を携帯電話機１に装着する場合について述べたが、本発明はこれに限らず、このようなデイスプレイを有しない携帯電話機１にも広く適用し得る。
さらに上述の実施例においては、携帯電話機１について述べたが、本発明はこれに限らず、通信機能を具える情報端末や有線式の電話機にも広く適用し得る。
【００２９】
【発明の効果】
上述のように本発明によれば、電源キーを一定時間以上押し下げる操作がなされたときは通信端末装置の電源を切るのに対し、アラート音が鳴つている状態で電源キーを一定時間よりも短い間押し下げる操作がなされたときは、少なくとも着信の期間に亘つてアラート音をミユートさせるようにしたことにより、アラート音が鳴り続いて周囲の人に迷惑をかけるおそれを格段的に低下できる。また発呼中に電源が強制的に切れるような事態を避けることができ、発信者に対しても不快を与えるおそれを低減することができる。
【図面の簡単な説明】
【図１】本発明による通信端末装置の一例を示す略先線的正面図である。
【図２】本発明による通信端末装置の内部回路例を示すブロツク図である。
【図３】状態遷移を示す略線図である。
【符号の説明】
１……携帯電話機、２……本体、２Ａ……フロントパネル、３……操作キー、３Ａ……電源キー、３Ｂ……数字キー、３Ｃ……センドキー、３Ｄ……エンドキー、４……デイスプレイ、５……アンテナ、６……スピーカ／マイク部、７……ＣＰＵ、８……電源スイツチ、９……電源ソース、１０……無線部、１１……音声処理部、１２……アラート音オン／オフ制御部、１３……アラート音発生器。
【図１】
0003666672.tif 000002
【図２】
0003666672.tif 000003
【図３】
0003666672.tif 000004